(57)【要約】【課題】  簡単な組み立て構造で、かつ、シャフトを確実に固定できるピックアップ支持構造および記録媒体駆動装置を提供すること。【解決手段】  ピックアップ支持構造は、記録媒体に対して記録および／または再生するピックアップ７１を保持する保持部材７２と、この保持部材７２を進退自在に案内するシャフト７４と、このシャフト７４の端部を係止するスキューねじ８０およびガイド壁２７と、シャフト７４をスキューねじ８０およびガイド壁２７側に付勢するトーションバー８２とを備え、トーションバー８２は、シャフト７４をスキューねじ８０とガイド壁２７とにそれぞれ当接させる方向に対して交差方向に付勢している。これにより、シャフト７４は上下方向と側面方向との双方とに付勢され、上下方向および側面方向のがたを防止できる。従って、簡単な構造で確実にシャフト７４を固定することができ、組み立て性も向上する。【選択図】 図５
2005108317.tif 000002
【特許請求の範囲】
【請求項１】
記録媒体に対して記録および／または再生するピックアップを保持する保持部材と、この保持部材を進退自在に案内するシャフトと、このシャフトの端部を係止する係止部材と、前記シャフトを前記係止部材側に付勢する付勢部材とを備えたピックアップ支持構造であって、
前記係止部材は前記シャフトの径方向であって互いに交差する方向からそれぞれ前記シャフトが当接可能とされる第１係止部材および第２係止部材を備え、
前記付勢部材は前記シャフトを前記第１係止部材と前記第２係止部材との双方に付勢する付勢片を有する
ことを特徴としたピックアップ支持機構。
【請求項２】
請求項１に記載のピックアップ支持構造において、
前記付勢部材は、前記シャフトに当接する係止片と、この係止片に捩れる方向の付勢力を与える軸部と、を備えたトーションバーであり、
前記軸部は、前記シャフトおよび前記係止部材が取り付けられるベース部に固定される
ことを特徴としたピックアップ支持構造。
【請求項３】
請求項２に記載のピックアップ支持構造において、
前記ベース部は、前記係止片が干渉することを阻止する孔部が形成され、
この孔部は前記ベース部に一体形成される
ことを特徴としたピックアップ支持構造。
【請求項４】
請求項２または請求項３に記載のピックアップ支持構造において、
前記トーションバーは前記係止片を所定の姿勢に保持するための姿勢保持部が前記軸部に設けられている
ことを特徴としたピックアップ支持構造。
【請求項５】
請求項４に記載のピックアップ支持構造において、
前記係止片、前記軸部および前記姿勢保持部は線材により一体成形されている
ことを特徴としたピックアップ支持構造。
【請求項６】
請求項５に記載のピックアップ支持構造において、
前記トーションバーを前記ベース部に取り付ける位置と、前記係止部材を前記ベース部に取り付ける位置とは、前記ベース部の平面上において所定間隔離れている
ことを特徴としたピックアップ支持構造。
【請求項７】
請求項１から請求項６のいずれかに記載されたピックアップ支持構造を備えた記録媒体駆動装置。
【発明の詳細な説明】
【技術分野】
【０００１】
本発明は、ピックアップ支持構造およびピックアップ支持構造を備えた記録媒体駆動装置に関する。
【背景技術】
【０００２】
記録媒体駆動装置は、ディスク状の記録媒体を記録および／または再生するピックアップと、このピックアップを記録媒体の径方向に移動させる移動機構とを備えている。この移動機構にはピックアップを支持する支持構造が設けられており、このピックアップ支持構造は一般に、ピックアップを保持するとともにベース部に設けられる保持部材と、この保持部材を進退自在に案内するシャフトと、このシャフトの端部を係止する係止部材と、前記シャフトを前記係止部材側に付勢する付勢部材とを備えて構成されている。
【０００３】
従来、シャフトの係止構造は、シャフトが取り付けられるベース部と、シャフトを係止するねじと、圧縮コイルばねとを備えている。このようなシャフトの係止構造では、ベース部にねじを挿入し、このねじの頭部をシャーシの上面に当接させ、さらに、ねじをベース部の下のシャフトの先端部に形成された雌ねじ部に螺合させている（例えば、特許文献１参照）。そして、圧縮コイルばねをベース部とシャフトとの間に介装させることで、シャフトをベース部の下方に付勢している。これによって、ねじの頭部がシャーシの上部に常に接触して停止するものである。
【０００４】
【特許文献１】特開２０００−１９５０６２（公報５頁目３７行目、および図１５）
【発明の開示】
【発明が解決しようとする課題】
【０００５】
特許文献１では、圧縮コイルばねによってシャフトを下方に付勢しているのみであるため、上下方向への付勢によって上下方向のがたが防止できる。しかし、一方、左右方向のがたに対しては対処できていない。従って、別途、左右方向へ付勢するための板ばね等を配置する必要がある。このような構成にすると、装置が複雑になり、組み立て作業が煩雑になるという一つの不具合がある。
【０００６】
本発明の目的の一つは、簡単な組み立て構造で、かつ、シャフトを確実に固定できるピックアップ支持構造および記録媒体駆動装置を提供することである。
【課題を解決するための手段】
【０００７】
請求項１のピックアップ支持構造は、記録媒体に対して記録および／または再生するピックアップを保持する保持部材と、この保持部材を進退自在に案内するシャフトと、このシャフトの端部を係止する係止部材と、前記シャフトを前記係止部材側に付勢する付勢部材とを備えたピックアップ支持構造であって、前記係止部材は前記シャフトの径方向であって互いに交差する方向からそれぞれ前記シャフトが当接可能とされる第１係止部材および第２係止部材を備え、前記付勢部材は前記シャフトを前記第１係止部材と前記第２係止部材とにそれぞれ当接させる方向に対して交差方向に付勢する付勢片を有することを特徴とする。
【０００８】
請求項７に記載の記録媒体駆動装置は、請求項１から請求項６のいずれかに記載されたピックアップ支持構造を備えたことを特徴とする。
【発明を実施するための最良の形態】
【０００９】
以下、本発明の記録媒体駆動装置にかかる実施の形態を図示例と共に説明する。
【００１０】
〔記録媒体駆動装置の構成〕
図１ないし図９は、本実施形態の記録媒体駆動装置が示されている。
図１は、本実施形態の記録媒体駆動装置の全体斜視図である。図２は、この記録媒体駆動装置の分解斜視図である。
【００１１】
図１、図２において、１００は記録媒体駆動装置である。この記録媒体駆動装置１００として、例えば、ＣＤ（Compact Disc）やＤＶＤ（Digital Versatile Disc）といった記録媒体を内部に収納するＣＤドライブやＤＶＤドライブなどがある。このような記録媒体駆動装置は、パーソナルコンピュータやオーディオ機器などに収納可能とされている。なお、本発明の記録媒体駆動装置は、このような機器に収納するものに限られず、端末機器やオーディオ機器の外部に設置するものや、ポータブルＣＤプレイヤなどのように単一で利用できるものなどのように光学式記録媒体を再生および／または記録するいかなる装置を対象とすることができる。
【００１２】
この記録媒体駆動装置１００は、平面略矩形形状のフレーム１０と、このフレーム１０の内部に取り付けられているベース部２０（図３参照）と、フレーム１０に出し入れ可能とされるトレイ３０と、フレーム１０の上面を覆うクランプ機構４０と、フレームの外周面を覆う金属製の図示しないケーシングとを備えている。
【００１３】
｛フレームの構成｝
フレーム１０は、合成樹脂などから形成される部材である。このフレーム１０は底部１１が略平面長方形の平板状となる略箱型形状に形成されている。この底部１１の短辺側周縁部の一方に一体形成された背面部１２と、底部１１の周縁部の短辺側の他方に底部１１から立ち上がって一体形成される前面部１４と、底部１１の周縁部の両長辺側に一体形成される２つの側面部１５と、を備え、これらの側面部１５及び背面部１２とで囲まれ底部１１と対向する上面開口部１３が形成されている。
【００１４】
ここで、この記録媒体駆動装置１００において、記録媒体駆動装置１００の横置き、縦置きの状態によらず、上面開口部１３側を上面側、それに対する底部１１側を下面側、背面部１２側を背面側、前面部１４側を前面側と定義する。また、前面側−背面側に沿う方向を進退方向とし、上面から下面に向かう方向を上下方向とし、進退方向と上下方向とに直交する側面への方向と側面方向とする。
【００１５】
底部１１には、周縁部に側面部１５、前面部１４、および背面部１２が設けられ、その内側に空洞部が設けられている。底部１１の空洞部は図示しない電気回路が収納されるスペースであり、この電気回路によって記録媒体駆動装置１００の動作が制御されている。
【００１６】
背面部１２は、下面側に図示しない外部端子部があり、この外部端子部はフレーム内で底部１１に設けられている電気回路と電気的に接続されている。この外部端子部は、例えば、記録媒体駆動装置へ電力を供給するための電源ケーブル接続部や、パーソナルコンピュータなどの外部機器との接続を可能とする外部端子接続部などを備えている。記録媒体駆動装置１００で再生および／または記録される情報は、主としてこの外部端子から入出力されている。
【００１７】
側面部１５の内壁には、トレイ３０を摺動自在に支持する摺動片１５０が進退方向に亘って設けられている。また、側面部１５の背面側にはベース部２０が揺動自在に取り付けられている。
【００１８】
前面部１４は、背面部１２及び側面部１５よりも図における上下方向への寸法が小さく形成されていて、この前面部１４の上面側にトレイ３０が出し入れされる開口部１４１が設けられている。また、前面部１４には図示しない操作部が設けられていて、この操作部は底部１１に設けられている電気回路に接続されている。この操作部には、例えば、トレイ３０を出し入れするためのイジェクトボタンや、音量を調整するためのボリュームつまみ、イヤホンの挿入口などが含まれている。
【００１９】
｛ベース部の構成｝
図３は、記録媒体駆動装置１００のクランプ機構４０とトレイ３０とを取り除いた平面図であり、図４は、ベース部の一部を上面側から見たときの図である。
図２から図４において、ベース部２０は、ディスクテーブル２３が設けられたメカベース２１と、このメカベース２１に対してピン２２Ａを中心に傾斜自在に取り付けられたチルトベース２２とを備え、メカベース２１にはチルトベース２２の傾斜角度を調整する傾斜角度調整機構２０Ａが設けられている。
メカベース２１とチルトベース２２とは、それぞれ、例えば、金属製の板材をプレス成型などすることで形成されている。チルトベース２２のディスクテーブル２３より背面側には、記録再生機構配置用孔部２６が設けられていて、この記録再生機構配置用孔部２６に記録再生機構７０が設けられている。
【００２０】
ディスクテーブル２３は、メカベース２１の前面側から所定距離離れ、かつ、側面方向において略中心となる位置に、上下方向を回転軸として回転可能に取り付けられている。ディスクテーブル２３は、メカベース２１より上面側に突出して設けられている。この構成により、光ディスクなどの円盤状の記録媒体をディスクテーブル２３に載置する際、記録媒体がベース部２０に接触することを防止している。このディスクテーブル２３に下面側にはモータなどの図示しない回転駆動機構が設けられていて、この回転駆動機構は前記電気回路および電気通電部を有する合成樹脂製のフレキシブル基板などによって電気的に接続されている。前記電気回路から駆動命令の電気信号が伝達されると、この回転駆動機構がディスクテーブル２３を高速回転させる。
【００２１】
ディスクテーブル２３は、記録媒体を載置する載置部２３２と、載置部２３２の中心に設けられて上面側が径小となるテーパ状のテーパ部２３１とを備えている。光ディスクなどの記録媒体は、略中心に円状孔部を有し、テーパ部２３１がこの円状孔部に係合される。また、図３に示すように、載置部２３２の上面側には記録媒体の面を保護するとともに滑り止めとなる合成樹脂製のシート部材２３２Ａが接着され、テーパ部２３１の上面側には磁石２３１Ａが取り付けられている。シート部材２３２Ａによってディスクテーブル２３が高速回転しても記録媒体が滑ることがなく、従って記録媒体の記録面を傷つけることがない。
【００２２】
また、メカベース２１の前面側の一方の角部には、前面側に突出した検出基板取付部２１１が形成されている。この検出基板取付部２１１の下面側には平板状の検出基板６０が固定されている。この固定には、ねじによる固定等が適用できる。検出基板６０上には、検出スイッチ６１が上面側に向かって立設されていて、この検出スイッチ６１は、ベース部２０の下面側に伸びる図示しない配線を介して、前記電気回路に接続されている。検出スイッチ６１の先端部には、検出ピン６１１が上面側に向かって設けられている。この検出ピンは、例えば、トレイ３０にカートリッジタイプのディスクが載置された場合において、そのカートリッジの書込み可、不可などの情報を読み取るために用いられる。
傾斜角度調整機構２０Ａは、ディスクデーブル２３に載置された記録媒体Ｄが撓んで径方向の沿って湾曲した場合、この湾曲面との距離が一定となるように記録再生機構７０を傾斜させるもので、その具体的な構成が図５および図６に示されている。
図３および図５において、傾斜角度調整機構２０Ａは、記録再生機構７０に設けられ記録媒体Ｄとの距離を検知するセンサ７０Ａと、チルトベース２２の端部側に設けられたガイドピン２０Ａ２と、このガイドピン２０Ａ２の周面に当接されメカベース２１に回動自在に設けられたカム部材２０Ａ３と、このカム部材２０Ａ３と噛合される歯車機構２０Ａ４と、この歯車機構２０Ａ４をセンサ７０Ａからの信号を受けて正逆回転させるモータ２０Ａ１とを備えている。例えば、図６に示される通り、記録媒体Ｄが外周縁に向かうに従って上方に反っている場合には傾斜角度調整機構２０Ａを作動させてチルトベース２２ごと記録再生機構７０を上方に移動させる。逆に、記録媒体Ｄが外周縁に向かうに従って下方に反っている場合には傾斜角度調整機構２０Ａを作動させてチルトベース２２ごと記録再生機構７０を下方に移動させる。
【００２３】
｛記録再生機構の構成｝
この記録再生機構７０は、記録媒体の読み書きのためのピックアック７１と、このピックアップ７１を保持する保持部材７２と、この保持部材７２を進退方向にて進退自在に支持するシャフト７４とを備えている。
【００２４】
ピックアップ７１は、例えば、記録媒体の記録面にレーザー光線を照射して、情報の記録および／または再生を可能としている。情報の再生では、記録面にレーザー光線を照射して反射されたものをレンズで収集し、この時の反射された量から記録面に応じた情報を得ることで情報を再生している。また、情報の記録では、例えば、記録面に直接レーザー光線などの強い光線を照射し、記録面にその情報の信号に応じた情報を記録している。
【００２５】
保持部材７２は、上面側にピックアップ７１が設置され、下面側には、図４に示すようにピックアップ進退機構７５が設けられている。また、保持部材７２には、図示しない回路によってピックアップ７１と電気的に接続され、この回路には、配線回路が配置されたフレキシブル基板などによって、前記フレーム１０の底部１１に設けられる図示しない電気回路に電気的に接続されている。この電気回路から、記録媒体の再生および／または記録の命令が伝達されると、保持部材７２の回路を介してピックアップ７１が記録媒体の再生および／または記録を実施する。また、ピックアップ７１で記録媒体から取得した情報および記録媒体に記録する情報も、この回路を通して前記電気回路を伝達されている。
【００２６】
シャフト７４は、金属製の円柱状部材であり、記録再生機構配置用孔部２６の進退方向に跨って、チルドベース２２に取り付けられている。
【００２７】
このシャフト７４の上面側に、合成樹脂あるいは金属の表面摩擦抵抗の小さい素材で形成される略半円筒状の摺接部材７４１が取り付けられている。この摺接部材７４１の円筒部の内半径は、シャフト７４の外周面の半径に対して若干大きめの寸法とされ、この摺接部材７４１の円筒部がシャフト７４の上面側に配置されるように取り付けられている。そして、摺接部材７４１の下面側は、保持部材７２の側面部に設けられるシャフト連結部７２１にて保持部材７２に固定されている。この時、シャフト７４は、摺接部材７４１と保持部材７２のシャフト連結部７２１との両方に当接し、これによって保持部材７２は、進退可能となる。また、摺接部材７４１の形状は、これに限られず、例えば、内径がシャフト７４と若干大きめの径となる略円筒状部材であるものであってもよい。この場合、摺接部材の内径側にシャフト７４を貫通させ、下面側に保持部材７２が固定されていればよい。さらに保持部材７２と摺接部材７４１が一体形成されているものであってもよい。
【００２８】
（ピックアップ進退機構）
ピックアップ進退機構７５は、保持部材７２を進退させる機構であり、スクリューシャフト７５２と、スクリューシャフト７５２の一端部に設けられるスクリュー駆動部７５１と、他端部に設けられスクリューシャフト７５２の回転を受けるスクリュー軸受部７５５とを備えている。
【００２９】
このピックアップ進退機構７５は、本実施形態では、保持部材７２の一側面側に設けられているが、これは、左右どちら側に設けられていてもよい。すなわち、ピックアップ進退機構７５は、記録媒体駆動装置の他の部材との便宜上で決定されればよい。
【００３０】
スクリューシャフト７５２は、金属性の円筒棒状部材であって、外周面に螺旋状のスクリューを有し、シャフト７４に平行にベース部２０に設けられている。スクリュー駆動部７５１は、図示しないモータを内部に収納しており、前記電気回路と電気的に接続されている。電気回路からの制御信号によりモータが回転すると、スクリューシャフト７５２が軸を中心に回転運動する。この時、スクリュー軸受部７５５は、この回転運動を受け、回転によるスクリューシャフト７５２の位置ずれを防止している。また、スクリュー軸受部７５５は、スクリューシャフト７５２とシャフト７４との平行を保つためにスクリューシャフト７５２の軸ずれを防止している。
【００３１】
また、保持部材７２の下面側には、スクリュー当接部７５３が固定されていて、このスクリュー当接部７５３の当接片７５４がスクリューシャフト７５２に当接している。当接片７５４は、スクリューシャフト７５２のスクリューの溝に沿う複数の突起部を有し、スクリューシャフト７５２がスクリューシャフト７５２の軸を中心に回転すると、このスクリューの回転に応じて当接片７５４が進退方向に移動可能となる。これにより、スクリュー当接部７５３を固定する保持部材７２も進退方向に移動可能となる。また、スクリューシャフト７５２が回転していない状態では、当接片７５４はスクリューシャフト７５２の一箇所で移動が規制されている。これによって、保持部材７２の不要な移動を防止できる。
【００３２】
（記録再生機構のベース部への固定）
次に、このような記録再生機構７０をベース部２０のチルトベース２２に固定するためのピックアップ支持構造７３について説明する。図７は、シャフト７４の端部のベース２０への取り付け構造の拡大図である。図８は、シャフト７４を付勢するトーションバーの正面図である。図９は、図７のシャフト７４の取り付け構造を側面方向から見たときの断面図である。図１０は、図７の一点鎖線Ｘ−Ｘ線での断面図である。図１１は、図７のＸＩ−ＸＩ線での断面図である。図１２は、係止片８２Ａとシャフト７４との当接箇所によるシャフト７４の付勢方向を示す図であり、図１３は係止片８２Ａとシャフト７４との当接箇所によるシャフト７４の付勢方向の別例を示す図である。
【００３３】
図４、図７ないし図９において、ピックアップ支持構造７３は、シャフト７４と、このシャフト７４を上下方向から係止する第１係止部材であるスキューねじ８０と、このシャフト７４を案内および位置決めする第２係止部材であるガイド壁２７と、付勢部材であるトーションバー８２とを備えている。
【００３４】
ガイド壁２７は、シャフト７４を間に挟んでそれぞれ１対ずつ設けられている。また、このガイド壁２７は、プレス成型などの板金加工によって、チルトベース２２に一体形成されている。これらの１対のガイド壁２７の間隔は、シャフト７４の直径に対して僅かに大きく形成されている。また、これらの１対のガイド壁２７の間のベース部２０には、切欠孔２９が形成されている。この切欠孔２９は、プレス成型などする時に、チルトベース２２に一体形成されたガイド壁２７を、チルトベース２２の平面方向に対して折り曲げて形成し易くするために設けられている。
【００３５】
スキューねじ８０は、ベース部２０のチルトベース２２に予め設けられた図示しない雌ねじ孔に螺合されて固定されている。このスキューねじ８０の雄ねじ部８０２にシャフト７４の先端部の円柱端面が当接して、シャフト７４は進退方向へ位置決めされる。そして、スキューねじ８０の頭部８０１はシャフト７４の先端部の円柱外周面に当接して、シャフト７４は上下方向（チルトベース２２への近接離隔方向）へ位置決めされる。また、このスキューねじ８０は、チルトベース２２への螺合程度を調節することで、チルトベース２２からスキューねじ８０の頭部８０１までの距離を調節することができ、これによってシャフト７４の高さを調節できる。この構成により、ピックアップ７１と記録媒体との距離の調整を可能にしている。
【００３６】
図５および図６において、トーションバー８２は、シャフト７４に当接する係止片８２Ａと、係止片８２Ａから所定角度で伸びる連結部８２Ｂと、連結部８２Ｂの端部に略直行する軸部８２Ｃと、軸部８２Ｃの端部に設けられる略円形の固定部８２Ｄと、組立時に固定部８２Ｄの端部から軸部８２Ｃから離れる方向に延びる姿勢保持部８２Ｅとが一体に形成されたものである。このようなトーションバー８２は、１本の弾性を有する金属製の線材を折り曲げて形成されている。
【００３７】
係止片８２Ａは、図９に示すように、略くの字状に形成され、このくの字の一辺にシャフト７４が一方のガイド壁２７側へ付勢する方向（側面方向）とスキューねじ８０の頭部８０１側へ付勢する方向とに向かって当接されている。また、係止片８２Ａと連結部８２Ｂとは、チルトベース２２の平面方向に対して所定の角度を成して、略くの字状に折り曲げて形成されている。一方、軸部８２Ｃは、チルトベース２２の平面方向に沿って配置され、軸部８２Ｃの端部に形成される固定部８２Ｄは、スキューねじ８０から所定距離だけあけて、ねじ８１によりチルトベース２２の平面方向と同一平面上で固定されている。この時、軸部８２Ｃがチルトベース２２に設けられる位置決め突起２８に当接するように、固定部８２Ｄを固定している。また、ねじに限らず他の固定方法であってもよい。
【００３８】
このようなトーションバー８２は、係止片８２Ａがシャフト７４の上面側に当接して、かつ、この係止片８２Ａがベース部２０の切欠孔２９に出入り可能となるように設けられている。この時、係止片８２Ａおよび連結部８２Ｂは、シャフト７４の軸方向に対して略垂直となるように、トーションバー８２を固定している。このような状態で、スキューねじ８０を調節してシャフト７４をベース部２０側に押し込むと、軸部８２Ｃが位置決め突起２８に当接して位置決めされているので、トーションバー８２はベース部２０の平面方向に逃げることができない。従って、係止片８２Ａは、切欠孔２９側に押し込まれる。
係止片８２Ａが切欠孔２９側に押し込まれると、連結部８２Ｂもベース部２０側に付勢され、この力によって軸部８２Ｃは軸を中心として捩じられる。そして、この軸部８２Ｃの捩れに対する反力（捩れ力）によって、連結部８２Ｂは、軸部８２Ｃと連結部８２Ｂとの連結点を中心に円弧状の付勢力を得ることができる。また、この時、連結部８２Ｂにも、若干の撓みが生じ、この撓みに対する反力で付勢力が得られる。これらの付勢力によって、連結部８２Ｂと連結する係止片８２Ａは上下方向と側面方向とに向かう付勢力を得ることができる。そして、この付勢力は、シャフト７４を上下方向と側面方向とに同時に付勢する。従って、シャフト７４は、スキューねじ８０の頭部８０１と、１対のガイド壁２７のうちどちらか一方と、に当接し、位置決めされる。
【００３９】
本実施形態では、トーションバー８２は、記録媒体駆動装置１００を縦置きにしたり横置きにしたりするため種々の用い方がされる。図１０のように、シャフト７４と当接する係止片８２Ａの一辺が、連結部８２Ｂと近接する側にある場合、シャフト７４は、連結部８２Ｂとは反対側に付勢力Ｐで付勢される。この時、スキューねじ８０の締め付け具合や、係止片８２Ａと連結部８２Ｂとの角度、および連結部８２Ｂとベース部２０との角度によって、付勢力Ｐは、上下方向Ｐｘおよび側面方向Ｐｚに分解される。一方、図１１のように、係止片８２Ａの連結部８２Ｂから遠ざかる側にシャフト７４を当接させた場合、シャフト７４は、連結部８２Ｂの方向に付勢力Ｐで付勢される。この時も、スキューねじ８０の締め付け具合や、係止片８２Ａと連結部８２Ｂとの角度、連結部８２Ｂとベース部２０との角度によって、付勢力Ｐは、上下方向Ｐｘおよび側面方向Ｐｚに分解される。なお、図１０および図１１において、（Ａ）は、シャフト７４がチルトベース２２から隔離した状態を示し、（Ｂ）は、近接した状態を示す。このようにすることで、無理な力が加わらず、確実にシャフト７４の側面方向のがたを抑える事ができる。
【００４０】
また、姿勢保持部８２Ｅは、トーションバー８２をチルトベース２２に取り付ける場合に、その姿勢を保持するためのものである。これは、姿勢保持部８２Ｅが設けられていない場合、固定部８２Ｄのみでは、係止片８２Ａ及び連結部８２Ｂの重力でトーションバー８２が傾いた状態となり、組み立て性が悪くなる。これに対して、姿勢保持部８２Ｅを固定部８２Ｄの端部に連結させると、この姿勢保持部８２Ｅがチルトベース２２と当接することで、係止片８２Ａ及び連結部８２Ｂの重力を受けることができ、トーションバー８２が傾かない。
【００４１】
｛トレイの構成｝
トレイ３０は、例えば、ＡＢＳ樹脂などの合成樹脂で形成される部材であり、例えば、ＣＤやＤＶＤなどの記録媒を載置して記録媒体駆動装置内部に格納するものである。トレイ３０は、平面矩形状に形成されている載置面３１と、載置面３１の周縁部の前面側から立ち上がる立上部３２とを有している。トレイ３０の下面側の側面には、トレイ３０が進退する方向に沿って直線状の図示しない溝部が一体形成されていて、この溝部に側面部１５の摺動片１５０が係合している。トレイ３０は、これらの溝部と摺動片１５０によって進退方向にスムーズに進退することができる。
【００４２】
載置面３１は、例えばＣＤやＤＶＤといった光学式の記録媒体を載置する面である。この載置面３１の略中心には、孔部が設けられていて、トレイ３０をフレーム１０内に格納したとき、この孔部から前記ディスクテーブル２３が載置面３１側に突出して記録媒体を保持する。またこの孔部を通して、ピックアップ７１が記録媒体の記録面に対して進退し、記録媒体の再生および／または記録を可能としている。
【００４３】
立上部３２は、トレイ３０の前面側を覆い、前面開口部１４１を隠す蓋として機能している。また、記録媒体がディスクテーブル２３に保持されていない状態において、この記録媒体が載置面３１から前面側に落下するのを防止している。この立上部３２には、ディスクホルダー３２１が設けられていて、このディスクホルダー３２１は、載置面３１に載置される記録媒体を位置決めしている。
【００４４】
｛クランプ機構の構成、および記録媒体の保持｝
フレーム１０の上面開口部１３にはクランプ機構４０が取り付けられていて、このクランプ機構４０はディスクテーブル２３で係合された記録媒体がディスクテーブル２３から外れないように保持する機構である。クランプ機構４０は、ディスクテーブル２３と対向する位置にクランパ４１を備え、このクランパ４１はクランパホルダー４２に支持されている。クランパ４１は合成樹脂で形成されていて中心部の上面側に図示しない円盤状金属部材が嵌めこまれている。クランパホルダー４２には板ばね４３が設けられていて、クランパホルダー４２が下面側に下がったときに上面側に付勢するように働いている。
【００４５】
このクランプ機構４０を備えた記録媒体駆動装置１００で、例えば、記録媒体として円板状の光ディスクを用い、トレイ３０の載置面３１に載置してトレイ３０をフレーム１０内に収納させた場合を例示する。この場合、光ディスクの円状の孔部がディスクテーブル２３のテーパ部２３１に係合され、載置部２３２のシート部材２３２Ａに光ディスクが載置される。そして、ディスクテーブル２３のテーパ部２３１には磁石が嵌めこまれているので、この光ディスクをクランパ４１で挟むことができ、これによって光ディスクはディスクテーブル２３から外れないように固定される。この時、クランパ４１がディスクテーブル２３の磁石２３１Ａによってディスクテーブル２３側に当接し、それに伴ってクランパホルダー４２も下面側に撓んでいる。これにより、ディスクテーブル２３は光ディスクの再生および／または記録時に高速回転しても、ディスクテーブルから外れることはない。
【００４６】
この光ディスクを取り外すときには、ディスクテーブル２３が下面側に移動して、磁石２３１Ａとクランパ４１とが離れ、クランパ４１は板ばね４３によってクランパホルダー４２とともに上面側に押し上げられる。そして、ディスクテーブル２３が載置面３１より下面側に移動すると、ディスクは載置面３１の上面側に載置され、トレイ３０をフレーム１０から排出することで記録媒体を取り出すことが可能となる。
【００４７】
｛ベース部２０とトレイとの連結｝
図２，図３において、ベース部２０の前面側には連動機構５００が設けられている。この連動機構５００はベース部２０と係合するドライブカム５０と、ドライブカム５０に一体形成されている第一ラック５２と、この第一ラック５２に噛合し第一歯車５３１から第四歯車５３４を有する歯車機構５３と、この歯車機構５３に噛合し前記電気回路からの制御によって駆動されるモータ部５４と、トレイ３０の下面側に設けられ歯車機構５３に噛合する図示しない第二ラックとを備えている。
【００４８】
ドライブカム５０は、合成樹脂などで形成され、トレイ３０の進退方向と直交する側面方向に往復自在に配置されている。ドライブカム５０の背面側には側面方向に延びるカム溝５１が形成されていて、ベース部２０のカム係合ピン２４はこのカム溝５１に係合されている。カム溝５１は、一端が上面側、他端が下面側に配置されるように、側面方向の中間が傾斜状に形成されている。このドライブカム５０が側面方向に往復運動することでカム係合ピン２４はこの傾斜部を伝ってカム溝５１の両端間を移動し、これによってベース部２０は上下方向に往復運動可能となっている。
【００４９】
このドライブカム５０の一側面に形成されている第一ラック５２は歯車機構５３の第三歯車５３３に噛合している。この第三歯車５３３の下面側には第三歯車５３３より径大となる第二歯車５３２が一体形成されていて、この第二歯車５３２は第一歯車５３１、及び第４歯車５３４に噛合している。
第一歯車５３１はモータ部５４のモータ歯車５４２に噛合している。モータ歯車５４２は、ホイール５４１と合成樹脂製のリング状のベルト５４３によって連結されている。ホイール５４１の下面側ではフレーム１０を介して図示しないモータ本体が設けられていて、このモータ本体から直接駆動力を与えられている。モータ本体は前記電気回路と電気的に接続されており、電気回路によってモータ本体の回転が制御されている。
第四歯車５３４はトレイ３０の下面側に設けられている図示しない第二ラックと噛み合っている。
【００５０】
フレーム１０の前面部１４に設けられている図示しないイジェクトボタンや、外部からの入力などによって、トレイ進退命令が前記電子回路に伝えられると、電子回路はモータ本体を駆動させる。モータ本体が回転すると、回転がホイール５４１、モータ歯車５４２を介して歯車機構５３の第一歯車５３１に伝達される。そして、第一歯車５３１から第二歯車５３２に回転動力が伝達され、この第二歯車を一体的に設けられる第三歯車５３３及び第二歯車５３２と噛合する第四歯車５３４が回転する。第三歯車５３３の回転によって、この第三歯車５３３と第一ラック５２で噛合するドライブカム５０が側面方向に運動し、ドライブカム５０と係合するベース部２０が上面側、あるいは下面側に移動する。また、第四歯車５３４の回転によって、第四歯車５３４と第二ラックで噛合するトレイ３０が背面側、あるいは前面側に移動する。
【００５１】
このようにして、ベース部２０とトレイ３０はドライブカム５０及び歯車機構５３によって連結されている。ここで、トレイ３０が排出される時に、先ずディスクテーブル２３が下面側に移動し、その後トレイ３０が排出される必要がある。これには、トレイ３０と第二ラックとの摺動の規制によって行われる。これは、例えば、トレイ３０は第二ラックに対して所定距離だけ摺動可能となるように設定されている。この場合、イジェクトボタンなどによってトレイ３０の排出命令が出されると、モータ部５４が駆動し、連動機構５００によってベース部が下面側に移動する。この時、同時に第四歯車５３４も回転し第二ラックが連動するが、この第二ラックはトレイ３０に所定距離だけ摺動可能に設けられていて、この所定距離分は第二ラックのみが前面側に移動する。そして、ベース部２０が下面側に移動して、トレイ３０と干渉しないだけの間隔になると、第二ラックはトレイ３０に係合して、トレイ３０を前面側に移動させる。また、トレイ３０が背面側に移動してフレーム内に格納された時、このトレイ３０と第二ラックとの摺動を規制するために図示しない遊び調整機構が設けられている。
【００５２】
さらに、トレイ３０が挿入される時に、トレイ３０とディスクテーブル２３との干渉を避けるため、先ずトレイ３０が挿入されてから、その後ディスクテーブル２３が上面側に移動する必要がある。これには、トレイ３０とドライブカム５０との間には図示しないタイミング調整機構が設けられている。
【００５３】
〔本実施形態の記録媒体駆動装置の効果〕
以上のような記録媒体駆動装置１００によると次のような効果が得られる。
【００５４】
（１）本実施形態の記録媒体駆動装置１００では、記録媒体に対して記録および／または再生するピックアップ７１を保持する保持部材７２と、この保持部材７２を進退自在に案内するシャフト７４と、このシャフト７４の端部を係止するスキューねじ８０およびガイド壁２７と、シャフト７４をスキューねじ８０およびガイド壁２７側に付勢するトーションバー８２とを備えている。そして、スキューねじ８０は、シャフト７４と上下方向で当接し、ガイド壁２７は、シャフト７４と側面方向で当接し、トーションバー８２は、このシャフト７４をスキューねじ８０とガイド壁２７とにそれぞれ当接させる方向に対して交差方向に付勢している。これにより、トーションバー８２を取り付けるだけで、シャフト７４は上下方向と側面方向との双方とに付勢されるので、上下方向および側面方向のがたを防止できる。従って、簡単な構造で確実にシャフト７４を固定することができる。
【００５５】
（２）トーションバー８２は、シャフト７４に当接する係止片８２Ａと、この係止片８２Ａに捩れることで付勢力を与える軸部８２Ｃと、を備え、軸部８２Ｃは、シャフト７４、ガイド壁２７およびスキューねじ８０が取り付けられるベース部２０に固定されている。これによって、トーションバー８２の軸部８２Ｃの捩れ力を利用して、係止片８２Ａがシャフト７４をスキューねじ８０とガイド壁２７とに容易に付勢させることができる。しかも、トーションバー８２を用いるので、厚み寸法はこのトーションバー８２の線材の直径以下に抑える事ができる。従って、確実にシャフト７４を固定できる付勢力を得るとともに、装置全体の薄型化を促進できる。
【００５６】
（３）ベース部２０は、係止片８２Ａが干渉することを阻止する切欠孔２９が形成され、この切欠孔２９はベース部２０に一体形成されている。これによって、スキューねじ８０を調整して、シャフト７４をベース部２０側に押した時、トーションバー８２の係止片８２Ａは切欠孔２９に逃げることができ、ベース部２０と干渉しない。従って、シャフト７４がベース部２０側に押し込まれた場合でも、トーションバー８２の係止片８２Ａがベース部２０と干渉して余計な寸法を取ることがなく、トーションバー８２の直径分の厚み寸法以下に抑える事ができるので、より薄型化を促進できる。
【００５７】
（４）トーションバー８２は係止片８２Ａを所定の姿勢に保持するための姿勢保持部８２Ｅが固定部８２Ｄを介して軸部８２Ｃに設けられている。これによって、このトーションバー８２をベース部２０に取り付ける際、係止片８２Ａおよび連結部８２Ｂの重力をこの姿勢保持部８２Ｅで受けることができる。従って、トーションバー８２は取付時に傾かずに姿勢を保持することができるので、容易にトーションバー８２を取り付けることができ、組み立て性が向上する。
【００５８】
（５）係止片８２Ａ、連結部８２Ｂ、軸部８２Ｃ、固定部８２Ｄおよび姿勢保持部８２Ｅは線材により一体成形されている。これによって、トーションバー８２を一本の線材を折り曲げて形成することができる。従って、部品点数の増加なしに、容易にトーションバー８２を形成することができる。
【００５９】
（６）トーションバー８２をベース部２０に取り付ける位置と、スキューねじ８０をチルトベース２２に取り付ける位置とは、チルトベース２２の平面方向において所定間隔離れている。これによって、シャフト７４とスキューねじ８０とトーションバー８２の固定部８２Ｄが同一軸上に並ぶことがないので、薄型化を促進できる。
【００６０】
（７）チルトベース２２に位置決め突起２８が形成されていて、軸部８２Ｃがこの位置決め突起２８に当接するように固定部８２Ｄを固定している。これにより、位置決め突起２８は、固定部８２Ｄを固定する際の軸部８２Ｃの位置決めとして機能するとともに、係止片８２Ａが押し込まれて側面方向への力が加わったときに軸部８２Ｃがずれるのを防止して軸部８２Ｃに捩れ力を生じさせる。従って、位置決め突起２８により、トーションバー８２の取り付けが容易となり、さらに、シャフト７４を確実に付勢して固定させることができる。
【００６１】
（８）トーションバー８２の形状や、シャフト７４を当接させる位置によってシャフト７４の付勢方向や各方向への付勢力を調整できる。これにより、ガイド壁２７の位置やスキューねじ８０の螺合具合に応じたトーションバー８２を選択することができる。従って、簡単な構造で、シャフト７４の付勢方向などの微調整ができる。
【００６２】
（９）記録媒体駆動装置１００は、ピックアップ支持構造７３を備えているので、上記のような作用効果を有する記録媒体駆動装置１００を提供することができる。
（１０）本実施形態では、ディスクデーブル２３に載置された記録媒体Ｄが撓んで径方向の沿って湾曲した場合、この湾曲面との距離が一定となるように記録再生機構７０を傾斜させる傾斜角度調整機構２０Ａを備えて構成したから、トーションバー８２の作用と相まって記録再生機構７０を精度良く作動させることができる。
【００６３】
〔実施の形態の変形〕
なお、本発明は前述の実施形態に限定されるものではなく、本発明の目的を達成できる範囲での変形、改良等は本発明に含まれるものである。
【００６４】
例えば、前記実施形態では、付勢手段としてトーションバー８２を用いたが、これに限らない。例えば、付勢手段は、板ばねであってもよい。この場合、例えば、図１４に示す通り、板ばね１８２の両端部をシャフト７４に当接させて、略中心部を固定ねじによってベース部２０に固定するような構造であってもよい。この構造では、板ばね１８２によって、シャフト７４をスキューねじ８０とガイド壁２７の方向に付勢可能となる。このような板ばね１８２では、両端部に係止片を形成して中心部を固定する構造で、容易に設置でき、かつ板ばねは１つで２本のシャフト７４を付勢させることが可能であり、さらに、低価格で簡単に形成することができる。また、図１４に示される構造においても、前述の実施の形態で使用したトーションバーを用いることができる。
【００６５】
また、本実施形態では、シャフト７４の先端側につき、一対のガイド壁２７がベース部２０に一体形成されていて、また、切欠孔２９もベース部２０に設けられていたが、これに限られない。例えば、シャフト７４の先端側にシャフト７４を案内し、かつ位置決めするガイド壁が別途ベース部に固定されているものであってもよい。さらに、ガイド壁を別途取り付けるタイプでは、シャフト７４の先端部の端面に当接して長手方向の位置決めするガイド部をスキューねじ８０の代わりに設け、スキューねじを記録再生機構配置用孔部２６とこのガイド部との間に取り付けて上下方向を位置決めするものであってもよい。
【００６６】
さらに、本実施の形態では、シャフト７４の端部にはそれぞれ１対のガイド壁２７がシャフト７４を側面方向から挟むように配置されているが、これに限らない。例えば、ガイド壁はシャフト７４がトーションバー８２によって付勢される側にのみ設けられているものであってもよい。
【００６７】
また、本実施の形態では、シャフト７４の端部にそれぞれピックアップ支持構造７３を設けているが、これに限らない。すなわち、ピックアップ支持構造７３はシャフト７４の少なくとも一端部に設けられているものであればよい。例えば、シャフト７４の一端部にピックアップ支持構造７３が設けられていて、他端部には、シャフト７４の軸方向の位置決めと側面方向への案内とを行うシャフトガイド部材が設けられているものであってもよい。このような場合でも、一端部に設けられるピックアップ支持構造７３のトーションバー８２によりシャフト７４を側面方向および上下方向に付勢しているため、シャフト７４を固定でき、さらに、このシャフト７４の他端部は、シャフトガイド部材を設けるのみでよいため、構造を簡単にできるとともに、部材点数の減少にもなる。
【００６８】
本実施形態では、図３、図４において、保持部材７２は比較的面積の大きいものを用いているが、特にこの面積は限定されない。例えば、ピックアップを保持するだけの面積を有しているものであればよいので、さらに小型化したものであってもよい。この場合、シャフト７４の間隔をさらに狭めて配置することもでき、このようにすれば、記録再生機構の占有面積が減り、スペースの有効活用ができる。
【００６９】
また、本実施の形態では、ピックアップ進退機構７５は、２本のシャフト７４のどちらか一方に設けられている。これは、前述したとおり、保持部材７２のどちら側に設けられていてもよい。
【００７０】
また、本実施形態では、端末機器やオーディオ機器などの内部に設置され、光ディスクなどの記録媒体をトレイに載置して内部に格納する記録媒体駆動装置を例示したが、これに限られない。すなわち、前述したように、本発明のピックアップ支持構造は、例えば、端末機器やオーディオの外部に設置される外付けタイプのものや、また、ポータブルＣＤプレイヤなどのように単一で作動するものなどを対象とすることができる。すなわち、装置内部にＣＤやＤＶＤなどの記録媒体を収納し、その記録媒体を再生および／または記録する装置であればいかなるものを適用できる。
さらに、本発明では、記録再生機構７０を傾斜させる傾斜角度調整機構２０Ａを必ずしも設けることを要せず、メカベース２１とチルトベース２２とを一体に形成してベース部２０を構成してもよい。
【００７１】
［実施の形態の作用効果］
本実施の形態は、記録媒体に対して記録および／または再生するピックアップ７１を保持する保持部材７２と、この保持部材７２を進退自在に案内するシャフト７４と、このシャフト７４の端部を係止する係止部材と、シャフト７４を前記係止部材側に付勢する付勢部材８２とを備えたピックアップ支持構造７３であって、前記係止部材はシャフト７４の径方向であって互いに交差する方向からそれぞれシャフト７４が当接可能とされる第１係止部材８０および第２係止部材２７を備え、付勢部材８２はシャフト７４を第１係止部材８０と第２係止部材２７との双方に付勢する付勢片８２Ａを有している。これにより、付勢部材８２を取り付けるだけで、シャフト７４は上下方向と側面方向との双方とに付勢されるので、上下方向および側面方向のがたを防止できるとともに、簡単な構造で確実にシャフト７４を固定することができて、組み立て性の向上も図れる。
【図面の簡単な説明】
【００７２】
【図１】本発明の一実施の形態にかかる記録媒体駆動装置を示す全体斜視図である。
【図２】本実施の形態の記録媒体駆動装置の分解斜視図である。
【図３】本実施の形態の内部を上面側から見たときの平面図である。
【図４】本実施の形態のベース部の一部を上面側から見たときの図である。
【図５】本実施形態のベース部を側面から見たときの図である。
【図６】傾斜角度調整機構を作動させた場合を示すもので図５に相当するの図である。
【図７】本実施の形態のシャフトの先端部のピックアップ支持構造を示す正面図である。
【図８】本実施の形態のトーションバーを示す正面図である。
【図９】本実施の形態のピックアップ支持構造の側面方向から見た断面図である。
【図１０】図７におけるＸ−Ｘ線での断面図である。
【図１１】図７におけるＸＩ−ＸＩ線での断面図である。
【図１２】本実施の形態のトーションバーの係止片とシャフトとの当接箇所によるシャフトの付勢方向を示す図である。
【図１３】本実施の形態のトーションバーの係止片とシャフトとの当接箇所によるシャフトの付勢方向の別の例を示す図である。
【図１４】本実施の形態のピックアップ支持構造の別の例を示す断面図である。
【符号の説明】
【００７３】
２０ …  ベース部
２０Ａ…傾斜角度調整機構
２７ …  第２係止部材
２９ …  孔部
７１ …  ピックアップ
７２ …  保持部材
７３ …  ピックアップ支持構造
７４ …  シャフト
８０ …  第１係止部材
８２ …  トーションバー
８２Ａ…  係止片
８２Ｃ…  軸部
８２Ｅ…  姿勢保持部
１００…  記録媒体駆動装置
【図１】
2005108317.tif 000003
【図２】
2005108317.tif 000004
【図３】
2005108317.tif 000005
【図４】
2005108317.tif 000006
【図５】
2005108317.tif 000007
【図６】
2005108317.tif 000008
【図７】
2005108317.tif 000009
【図８】
2005108317.tif 000010
【図９】
2005108317.tif 000011
【図１０】
2005108317.tif 000012
【図１１】
2005108317.tif 000013
【図１２】
2005108317.tif 000014
【図１３】
2005108317.tif 000015
【図１４】
2005108317.tif 000016